(57)【要約】【課題】工事現場等の近くを通る一般通行人の注意、感心を惹いて表示効果が大きい、パネル型液晶テレビやライトパネル等の掲示物を簡単容易に設置できる掲示物設置用間仕切りパネル構造を提供する。【解決手段】天井Ｓと床面Ｆとの間の所要箇所に一対の支柱１０，１０を所要間隔に取り付け、両支柱１０，１０間の所要高さ位置にパネル型液晶テレビ等の掲示物を取り付けた掲示物パネル１８を配設すると共に、掲示物パネル１８と天井Ｓ及び又は床面Ｆとの間の少なくとも一つの空間部に上下方向伸縮可能な伸縮パネル２０を配設し、前記掲示物パネル１８及び前記伸縮パネル２０は各パネルの左右両端部を夫々固定手段１５によって両支柱１０，１０に固定してなる。【選択図】図２
0003124649.tif 000002
【実用新案登録請求の範囲】
【請求項１】
天井と床面との間の所要箇所に一対の支柱を所要間隔に取り付け、両支柱間の所要高さ位置にパネル型液晶テレビ等の掲示物を取り付けた掲示物パネルを配設すると共に、掲示物パネルと天井及び又は床面との間の少なくとも一つの空間部に上下方向伸縮可能な伸縮パネルを配設し、前記掲示物パネル及び前記伸縮パネルは各パネルの左右両端部を夫々固定手段によって両支柱に固定してなる掲示物設置用間仕切りパネル構造。
【請求項２】
前記各支柱は、第１支柱と、第１支柱内に上下方向伸縮可能に収納される第２支柱と、第２支柱を第１支柱に対し所要伸縮位置に固定するロック手段とからなる請求項１に記載の掲示物設置用間仕切りパネル構造。
【請求項３】
前記支柱のロック手段は、第２支柱の正面側に上下方向に配設した多数のロック孔の一つに、第１支柱の正面側に設けたロック部材を係入してロック状態にすることにより、第１支柱に対し収縮する方向への第２支柱の移動を阻止すると共に、伸張する方向への第２支柱の移動を許すように構成されてなることを特徴とする請求項１又は２に記載の掲示物設置用間仕切りパネル構造。
【請求項４】
前記伸縮パネルは、第１パネルと、第１パネル内に上下方向伸縮可能に収納される第２パネルと、第２支柱を第１パネルに対し所要伸縮位置に固定するロック手段とからなる請求項１〜３の何れかに記載の掲示物設置用間仕切りパネル構造。
【請求項５】
前記伸縮パネルのロック手段は、第２パネルの正面側両端部に夫々上下方向に配設した多数のロック孔の一つに、第１パネルの正面側両端部に夫々設けたロック部材を係入してロック状態にすることにより、第１パネルに対し収縮する方向への第２パネルの移動を阻止すると共に、伸張する方向への第２パネルの移動を許すように構成されてなることを特徴とする請求項１〜４の何れかに記載の掲示物設置用間仕切りパネル構造。
【請求項６】
前記固定手段は、第１支柱の背面側両端縁から両側方へパネル支持用フランジ部を突設すると共に、第１支柱の正面側に断面略Ｔ字状のボルト頭嵌合溝を支柱長手方向全長に条設し、しかして各パネルの左右各端部を、第１支柱のパネル支持用フランジ部と、第１支柱の正面側所要部位に配置されて、前記ボルト頭嵌合溝に頭部を嵌合させたボルト及びナットにより締結されるパネル押え板とで挟持固定するようにしたものからなる請求項１〜５の何れかに記載の掲示物設置用間仕切りパネル構造。
【考案の詳細な説明】
【技術分野】
【０００１】
本考案は、展示場で各展示コーナーを仕切る間仕切り、デパートにおける模様替え工事等の部分改装工事現場、その他様々な場所での一時的な間仕切りや仮囲い等に使用される間仕切りパネルに関するもので、特に、本考案は、間仕切りパネルの所要箇所に、広告、宣伝、案内、サービス等に使用されるパネル型液晶テレビやライトパネル（光るパネル）等の掲示物を設置するための掲示物設置用間仕切りパネル構造に関する。
【背景技術】
【０００２】
従来、工事現場の間仕切りや仮囲い等には、パネル表面に宣伝、案内等の文字や絵等をペンキ等によって描いたものはあるが、パネル型液晶テレビやライトパネル等の掲示物を間仕切りパネルの所要部に設置したものは未だ提供されていない。
【考案の開示】
【考案が解決しようとする課題】
【０００３】
本考案は、ペンキ等で描いた文字や絵等による宣伝、案内等用表示に比べ、工事現場等の近くを通る一般通行人の注意、感心を惹いて表示効果が大きい、パネル型液晶テレビやライトパネル等の掲示物を簡単容易に設置できる掲示物設置用間仕切りパネル構造を提供することを目的とする。
【課題を解決するための手段】
【０００４】
上記課題を解決するための手段を、後述する実施形態の参照符号を付して説明すると、請求項１に係る考案の掲示物設置用間仕切りパネル構造は、天井Ｓと床面Ｆとの間の所要箇所に一対の支柱１０，１０を所要間隔に取り付け、両支柱１０，１０間の所要高さ位置にパネル型液晶テレビ等の掲示物を取り付けた掲示物パネル１８を配設すると共に、掲示物パネル１８と天井Ｓ及び又は床面Ｆとの間の少なくとも一つの空間部に上下方向伸縮可能な伸縮パネル２０を配設し、前記掲示物パネル１８及び前記伸縮パネル２０は各パネルの左右両端部を夫々固定手段１５によって両支柱１０，１０に固定してなることを特徴とする。
【０００５】
請求項２は、請求項１に記載の掲示物設置用間仕切りパネル構造において、前記各支柱１０は、第１支柱１１と、第１支柱１１内に上下方向伸縮可能に収納される第２支柱１２と、第２支柱１２を第１支柱１１に対し所要伸縮位置に固定するロック手段１３とからなることを特徴とする。
【０００６】
請求項３は、請求項１又は２に記載の掲示物設置用間仕切りパネル構造において、前記支柱１０のロック手段１３は、第２支柱１２の正面側に上下方向に配設した多数のロック孔４の一つに、第１支柱１１の正面側に設けたロック部材５Ａを係入してロック状態にすることにより、第１支柱１１に対し収縮する方向への第２支柱１２の移動を阻止すると共に、伸張する方向への第２支柱１２の移動を許すように構成されてなることを特徴とする。
【０００７】
請求項４は、請求項１〜３の何れかに記載の掲示物設置用間仕切りパネル構造において、前記伸縮パネル２０は、第１パネル２０ａと、第１パネル２０ａ内に上下方向伸縮可能に収納される第２パネル２０ｂと、第２支柱２０ｂを第１パネル２０ａに対し所要伸縮位置に固定するロック手段３とからなることを特徴とする。
【０００８】
請求項５は、請求項１〜４の何れかに記載の掲示物設置用間仕切りパネル構造において、前記伸縮パネル２０のロック手段３は、第２パネル２０ｂの正面側両端部に夫々上下方向に配設した多数のロック孔４の一つに、第１パネル２０ａの正面側両端部に夫々設けたロック部材５Ａを係入してロック状態にすることにより、第１パネル２０ａに対し収縮する方向への第２パネル２０ｂの移動を阻止すると共に、伸張する方向への第２パネル２０ｂの移動を許すように構成されてなることを特徴とする。
【０００９】
請求項６は、請求項１〜５の何れかに記載の掲示物設置用間仕切りパネル構造において、前記固定手段１５は、第１支柱１１の背面側両端縁から両側方へパネル支持用フランジ部１６，１６を突設すると共に、第１支柱１１の正面側両端部に断面略Ｔ字状のボルト頭嵌合溝１７，１７を支柱長手方向全長に条設し、しかして各パネルの左右各端部を、第１支柱１１のパネル支持用フランジ部１６と、第１支柱１１の正面側所要部位に配置されて、前記ボルト頭嵌合溝１７に頭部を嵌合させたボルト２２及びナット２３により締結されるパネル押え板２１とで挟持固定するようにしたものからなることを特徴とする。
【考案の効果】
【００１０】
上記解決手段による考案の効果を、後述する実施形態の参照符号を付して説明すると、請求項１に係る考案によれば、天井Ｓと床面Ｆとの間の所要箇所に一対の支柱１０，１０を所要間隔に取り付け、両支柱１０，１０間の所要高さ位置にパネル型液晶テレビ等の掲示物を取り付けた掲示物パネル１８を配設し、掲示物パネル１８と天井Ｓ及び又は床面Ｆとの間の少なくとも一つの空間部に伸縮パネル２０を配設するから、天井Ｓと床面Ｆとの間の空間部に先に掲示物パネル１８を嵌め入れて、残りの空間部に伸縮パネル２０を嵌め入れるようにすることで、掲示物パネル１８を天井Ｓと床面Ｆとの間の所要箇所に簡単容易にして的確に配設することができると共に、掲示物パネル１８にはパネル型液晶テレビ等の掲示物を予め設置しているから、現場での取り付け作業が簡単、容易となる。また、掲示物パネル１８及び他のパネル２０は、夫々の左右両端部を夫々固定手段１５によって両支柱１０，１０に夫々固定するから、それらのパネルを天井Ｓと床面Ｆとの間に安定状態に保持することができる。
【００１１】
請求項２に係る考案によれば、支柱１０を天井Ｓと床面Ｆとの間に設置するにあたり、第２支柱１２を第１支柱１１に対し適当に収縮させた状態で天井Ｓと床面Ｆとの間に支柱１０を挿入配置した後、第２支柱１２を伸張させて、ロック手段１３で固定することによって、支柱１０の設置が簡単容易となる。
【００１２】
請求項３に係る考案によれば、支柱１０のロック手段１３は、第２支柱１２の正面側に上下方向に配設した多数のロック孔４の一つに、第１支柱１１の正面側に設けたロック部材５Ａを係入してロック状態にすることにより、第１支柱１１に対し収縮する方向への第２支柱１２の移動を阻止すると共に、伸張する方向への第２支柱１２の移動を許すように構成されたもので、ロック手段１３のロック操作及びロック解除操作を間仕切りパネルの正面側から行なえるため、作業がし易くなる。
【００１３】
請求項４に係る考案によれば、伸縮パネル２０は、第１パネル２０ａと、第１パネル２０ａ内に上下方向伸縮可能に収納される第２パネル２０ｂと、第２支柱２０ｂを第１パネル２０ａに対し所要伸縮位置に固定するロック手段３とからなるため、伸縮パネル２０の嵌め込みにあたり、第２パネル２０ｂを第１パネル２０ａに対し適当に収縮させた状態で天井Ｓと床面Ｆとの間にパネル２０を挿入配置した後、第２パネル２０ｂを伸張させて、ロック手段３で固定することによって、伸縮パネル２０の設置が簡単容易となる。
【００１４】
請求項５に係る考案によれば、伸縮パネル２０のロック手段３は、第２パネル２０ｂの正面側両端部に夫々上下方向に配設した多数のロック孔４の一つに、第１パネル２０ａの正面側両端部に夫々設けたロック部材５Ａを係入してロック状態にすることにより、第１パネル２０ａに対し収縮する方向への第２パネル２０ｂの移動を阻止すると共に、伸張する方向への第２パネル２０ｂの移動を許すように構成されているから、ロック手段３のロック操作及びロック解除操作を間仕切りパネルの正面側から簡単容易に行なうことができる。
【００１５】
請求項６に係る考案によれば、固定用のボルト２２が第１支柱１１に設けたボルト頭嵌合溝１７に沿ってスライド自在であるため、各パネルを上下方向の任意の位置で簡単容易に固定することができる。
【考案を実施するための最良の形態】
【００１６】
以下に本考案の好適な実施形態について図面に基づいて説明すると、図１は本考案に係る掲示物設置用間仕切りパネル構造を表側から見た正面図、図２は同間仕切りパネル構造を裏側から見た正面図、図３は図２のＸ−Ｘ線拡大断面図である。この掲示物設置用間仕切りパネル構造は、天井Ｓと床面Ｆとの間の所要箇所に一対の支柱１０を所要間隔に取り付け、両支柱１０，１０間の所要高さ位置に掲示物パネル１８を配設し、この掲示物パネル１８と床面Ｆとの間の下部側空間部に下部側パネル１９を夫々配設し、そして掲示物パネル１８と天井Ｓとの間の上部側空間部には上下方向伸縮可能な上部側パネル２０を配設し、これら掲示物パネル１８、上部側パネル２０及び下部側パネル１９の各パネルを、夫々の左右両端部を夫々固定手段１５によって両支柱１０，１０に夫々固定してなるものである。
【００１７】
また両支柱１０，１０間に配設された掲示物パネル１８、上部側パネル２０及び下部側パネル１９の、支柱１０，１０を挟んでその両側には、夫々間仕切りパネルＰが配設される。
【００１８】
上記掲示物設置用間仕切りパネル構造について更に詳しく説明すると、各支柱１０は、第１支柱１１と、第１支柱１１内に上下方向伸縮可能に収納される第２支柱１２と、この第２支柱１２を第１支柱１１に対し所要伸縮位置に固定するロック手段１３と、第２支柱１２の上端部に連設された長さ微調整手段１４とからなるもので、第１支柱１１は、第２支柱１２よりも長く形成されていて、第２支柱１２の下側に配置され、長さ微調整手段１４は第２支柱１２の上端部に連設されている。
【００１９】
第１支柱１１及び第２支柱１２は、図４から分かるように、互いにスライド自在に嵌合される略角筒状のアルミ押出型材からなるもので、第１支柱１１には、背面側の両端から両側方へパネル支持用フランジ部１６，１６が突設されると共に、正面側の両端部に断面略Ｔ字状のボルト頭嵌合溝１７，１７が第１支柱１１の長手方向全長に亘って条設されている。第２支柱１２には正面側の幅方向中央部に凸条部６が第２支柱１２の全長に亘って形成され、この凸条部６にはその全長に亘って、ロック手段１３の一部を構成するロック孔４（図９参照）が上下長手方向一定ピッチで形成されている。また第１支柱１１の左右各側面側には、凹条部１１ａが全長に亘って条設され、この凹条部１１ａにスライド自在に嵌合する凹条部１２ａが第２支柱１２の左右各側面側に条設されている。
【００２０】
前記支柱１０のロック手段１３は、第２支柱１２の正面側に上下長手方向に配設した多数のロック孔４の一つに、第１支柱の正面側に設けた後述するロック部材５Ａを係入してロック状態にすることにより、第１支柱１１に対し収縮する方向への第２支柱１２の移動を阻止すると共に、伸張する方向への第２支柱１２の移動を許すように構成されたものである。このロック手段１３（ロック部材５Ａを含む）の詳細な構造及び作用については、図１０及び図１１によって後述する間仕切りパネルＰのロック手段３と同じであるため、その説明を省略する。
【００２１】
各支柱１０の長さ微調整手段１４は、図４の(a) 及び(d) に示すように、第２支柱１２と同じ断面形状のアルミ押出型材からなる内筒部材４２と、第１支柱１１と同じ断面形状のアルミ押出型材で、内筒部材４２よりも短く形成されて、この内筒部材４２に嵌合固定された外筒部材４１と、上下両端部４３ａ，４３ｂに逆ネジが切ってあって、下端ネジ部４３ａが第２支柱１２の上端部側に固着してあるナット４４に螺合され且つ上端ネジ部４３ｂが内筒部材４２の下端部側に固着してあるナット４５に螺合されたアジャスターボルト４３と、から構成されるもので、アジャスターボルト４を正逆何れか一方向に回すと、外筒部材４１を固定した内筒部材４２が第２支柱１２の上端から伸張し、その反対方向に回すと、その内筒部材４２が第２支柱１２の上端に近づくように収縮するようになっている。
【００２２】
従って、支柱１０を大幅に伸縮する時は、ロック手段１３をロック解除した状態で第２支柱１２を第１支柱１１に対しスライドすればよく、また支柱１０の長さを微調整する時は、ロック手段１３をロックした状態で前記長さ微調整手段１４のアジャスターボルト４３を適宜に回転操作すればよい。しかして、支柱１０を天井Ｓと床面Ｆとの間に設置するには、支柱１０の長さを床面Ｆから天井Ｓまでの高さより短い適当な長さに概略調整した状態で、この支柱１０を天井Ｓと床面Ｆとの間に配置した後、長さ微調整手段１４により微調整して、内筒部材４２の上端を天井Ｓに圧接させるようにすればよい。
【００２３】
上記のように天井Ｓと床面Ｆとの間に設置された支柱１０の背面側には合成樹脂製の支柱カバー２４が取り付けられる。この支柱カバー２４は、第１支柱１１の背面側両端縁に突設されたパネル支持用フランジ部１６，１６に外側から係嵌されるようになっている。即ち、図４の(c) 及び図５の(b) に示すように、支柱カバー２４の両端縁に形成された係合凸部２４ａ，２４ａがパネル支持用フランジ部１６，１６の両端縁に形成された係合凹部１６ａ，１６ａに凹凸係合される。この支柱カバー２４は、第１支柱１１と第２支柱１２と長さ微調整手段１４とからなる剥き出し構造の支柱１０の外観上の体裁、見栄えを良くすると共に、作業者や通行人の手指や衣服が支柱１０に振れても、ケガしたり、衣服を破ったりすることのないように保護するものである。
【００２４】
図１は掲示物設置用間仕切りパネル構造を表側から見た正面図であるが、図示されている左右一対の支柱１０，１０のうち右側の支柱１０は支柱カバー２４を未だ取り付けていない状態であり、左側の支柱１０は支柱カバー２４を取り付けた状態である。この支柱カバー２４の取付けにあたっては、図１に示す左側の支柱１０のように、一つの支柱カバー２４を、第１支柱１１の上端部を除いて全域に取り付け、もう一つの支柱カバー２４を、この第１支柱１１の上端部と長さ微調整手段１４の外筒部材４１（第１支柱１１と同じ断面形状のアルミ押出型材）とに亘って取り付けるようにするとよい。
【００２５】
前記掲示物パネル１８は、詳細な図示は省略するが、図１及び図２に概略示すように、矩形状パネル本体１８ａにパネル型液晶テレビやライトパネル等の掲示物１８ｂを取り付けてなるものである。下部側パネル１９及び上下方向伸縮可能な上部側パネル２０については後述する。
【００２６】
これら掲示物パネル１８、上部側パネル２０及び下部側パネル１９は、夫々の左右両端部が夫々固定手段１５によって両支柱１０，１０に夫々固定されているが、この固定手段１５は、図５の(a) 及び(b) に示すように、各パネル１８，１９，２０の左右各端部を、第１支柱１１の背面側に設けられたパネル支持用フランジ部１６と、第１支柱１１の正面側所要部位に配置されて、第１支柱１１の背面側に設けてあるボルト頭嵌合溝１７に頭部を嵌合させた固定用のボルト２２及び蝶ナット２３により締結されるパネル押え板２１とによって挟持固定するようにしたもので、ボルト２２を第１支柱１１に設けたボルト頭嵌合溝１７に沿って自由にスライドさせることができるため、各パネル１８，１９，２０を上下方向の任意の位置で簡単容易に固定することができる。
【００２７】
また図２に示すように、固定手段１５によるパネルの固定箇所は、掲示物パネル１８については、上部側及び下部側の夫々左右両端部とし、上部側パネル２０については、上端部がランナー２８で保持されるから下端部のみでよく、そして下部側パネル１９も、下端部がランナー２５で保持されるから上端部のみでよい。
【００２８】
上記掲示物設置用間仕切りパネル構造の施工にあたっては、天井Ｓと床面Ｆとの間の所要箇所に一対の支柱１０，１０を所要の間隔で取り付け、そして図３に示すように両支柱１０，１０間における床面Ｆに下部ランナー２５を釘打ち等によって取り付け、この下部ランナー２５と両支柱１０，１０との間の空間部に下部側パネル１９を嵌め込み、そしてこの下部側パネル１９の上部側左右両端部を夫々固定手段１５によって両支柱１０，１０に固定する。
【００２９】
この下部側パネル１９の上端部に図３に示すような断面略Ｈ形のパネル受けレール２６を取り付けた後、このパネル受けレール２６と両支柱１０，１０との間の空間部に掲示物パネル１８を配置し、この掲示物パネル１８の上部側及び下部側の夫々左右両端部を夫々固定手段１５によって両支柱１０，１０に固定する。その後、掲示物パネル１８の上端部にパネル受けレール２７を取り付け、このパネル受けレール２７と、天井Ｓに釘打ち等により取り付けた上部ランナー２８と、両支柱１０，１０との間の空間部に、伸縮可能な上部側パネル２０を嵌め込み、この上部側伸縮パネル２０の下部側左右両端部を夫々固定手段１５により両支柱１０，１０に固定する。上部側伸縮パネル２０の取付にあたっては、この伸縮パネル２０を適当に伸縮させた状態で上記空間部に挿入配置した後に、この伸縮パネル２０を伸張させればよい。上部側伸縮パネル２０の構造については後述する。
【００３０】
上記のような掲示物設置用間仕切りパネル構造によれば、天井Ｓと床面Ｆとの間の所要箇所に一対の支柱１０を所要間隔に取り付け、両支柱１０，１０間の所要高さ位置に掲示物パネル１８を配設し、この掲示物パネル１８と床面Ｆとの間の下部側空間部に下部側パネル１９を夫々配設し、掲示物パネル１８と天井Ｓとの間の上部側空間部に上下方向伸縮可能な上部側パネル２０を配設するから、天井Ｓと床面Ｆとの間の下部側に下部側パネル１９を嵌め入れ、その上に掲示物パネル１８を嵌め入れた後、この掲示物パネル１８と天井Ｓとの間には収縮可能な上部側パネル２０を予め収縮させた状態で嵌め入れて、その後この上部側パネル２０を伸張させるようにすることにより、掲示物パネル１８を天井Ｓと床面Ｆとの間の所要箇所に簡単容易にして的確に配設することができる。また、これらの掲示物パネル１８、上部側パネル２０及び下部側パネル１９の各パネルは、夫々の左右両端部を夫々固定手段１５によって両支柱１０，１０に夫々固定するようにしているから、天井Ｓと床面Ｆとの間に安定状態に保持することができる。
【００３１】
この場合、各支柱１０は、第１支柱１１と、この第１支柱１１内に上下方向伸縮可能に収納される第２支柱１２と、第２支柱１２を第１支柱１１に対し所要伸縮位置に固定するロック手段１３とからなるため、支柱１０を天井Ｓと床面Ｆとの間に設置するにあたり、第２支柱１２を第１支柱１１に対し適当に収縮させた状態で天井Ｓと床面Ｆとの間に支柱１０を挿入配置した後、第２支柱１２を伸張させて、ロック手段１３で固定するようにすることで、支柱１０の設置を簡単容易に行なうことができる。
【００３２】
次に、上記掲示物設置用間仕切りパネル構造の両側に配設される間仕切りパネルＰについて図６〜図１１を参照しながら説明する。
【００３３】
図６の(a) は間仕切りパネルＰの正面図、(b) は側面図で、上側の第２パネル２が下側の第１パネル１に対し上方へ伸張した状態を仮想線で示している。図７の(a-1) は第１パネル１の正面図、(a-2) は側面図であり、(b-1) は第２パネル２の正面図、(b-2) は側面図である。また図８は図６のイ−イ線拡大断面図、図９の(a) は図７の(b-1) のロ−ロ線拡大断面図であり、(b) は(a) の矢印ハから見た正面図、(c) は(b) の右側面図である。また図１０の(a) は図６の(a) の矢印ニで示す部分の拡大図、(b) は(a) のホ−ホ線断面図、(c) は(a) のヘ−ヘ線断面図である。
【００３４】
間仕切りパネルＰは、図８に示すように左右両端部が略コ字状に形成された第１パネル１と、この第１パネル１と同様に左右両端部が略コ字状に形成されて、第１パネル１内に上下方向伸縮可能に収納される第２パネル２と、第２パネル２を第１パネル１に対し所要の伸縮位置に固定するロック手段３とからなるもので、第１パネル１が下側に配置され、その上側に第２パネル２が配置される。ロック手段３は、第２パネル２の正面側両端部に夫々上下方向に配設した多数のロック孔４（図９参照）の一つに、第１パネル１の正面側両端部に夫々設けたロック部材５Ａを係入させることによって、第１パネル１に対し収縮する方向への第２パネル２の移動を阻止すると共に、第１パネル１に対し伸張する方向への第２パネル２の移動を許すように構成されている。このロック手段３は、前記ロック手段１３と同じ構成である。
【００３５】
上記間仕切りパネルＰの構造について更に説明すると、第１パネル１は、鋼板によって一体に形成されたもので、図７及び図８から分かるように、背板部１ａと、この背板部１ａの左右両端に夫々連設された左右側板部１ｂ，１ｂと、両側板部１ｂ，１ｂに夫々横断面略Ｌ字形のツナギ板部１ｃ，１ｃを介して連設された正面側フランジ部１ｄ，１ｄとから構成される。
【００３６】
第２パネル２も、第１パネル１と同じく鋼板によって一体に形成されたもので、図７〜図９から分かるように、背板部２ａと、この背板部２ａの左右両端に夫々連設された左右側板部２ｂ，２ｂと、両側板部２ｂ，２ｂに夫々横断面略Ｌ字形のツナギ板部２ｃ，２ｃを介して連設された正面側フランジ部２ｄ，２ｄとからなり、各正面側フランジ部２ｄにはその幅方向中央部に凸条部６がフランジ部２ｄの全長にわたって形成され、この凸条部６の突端面にはその全長にわたって、ロック手段３の一部を構成するロック孔４がの長手方向に一定ピッチで形成されている。
【００３７】
図１０及び図１１は、第２パネル２を第１パネル１に対し所要伸縮位置に固定するロック手段３の好適例を示すもので、図１０はロック手段３がロック位置にある状態を示し、図１１はロック手段３がロック解除位置にある状態を示す。このロック手段３は、第２パネル２の凸条部６に形成した多数のロック孔４の一つに、第１パネル１に設けたロック部材５Ａを係入させることによって、第１パネル１に対し収縮する方向への第２パネル２の移動を阻止すると共に、第１パネル１に対して伸張する方向への第２パネル２の移動を許すように構成されている。
【００３８】
このロック手段３のロック部材５Ａは、第１パネル１の正面側左右各端部に位置する正面側フランジ部１ｄの上端部側に基板７をリベット（又はビス）３８で取り付け、基板７の上端部に開口部７ａを設け、この基板７の下端部に形成された突起部７ｂに板バネ８の一端部をネジ具３４で固定し、この板バネ８の他端部には、基板７の開口部７ａからロック孔４の一つに対し図５の(b) に示すように斜め方向に係入する傾斜状係入片９を突設し、また板バネ８の長手方向中央部に縦長長方形のグリップ係脱用開口部８ａを貫設し、この開口部８ａに臨む基板７の長手方向中央部にナット３５を固着し、このナット３５に螺合した螺軸３１に、縦向きにした状態で開口部８ａを通り抜け出来且つ開口部８ａを通り抜けた後横向きにすることにより開口部８ａを通り抜け出来なくなるような直方体に形成されたグリップ３６を固着してなるものである。
【００３９】
上記板バネ８は、常時は図１１の(b) に示すように、基板７と略平行な姿勢にあって、傾斜状係入片９がロック孔４から離脱したロック解除位置にあり、この時グリップ３６は図１１の(a) に示すように板バネ８の開口部８ａ内に縦向き姿勢で嵌まり込んだ状態となっている。
【００４０】
しかして、図１１の(a) ，(b) に示すようにグリップ３６が板バネ８の開口部８ａ内で縦向き姿勢にある状態から板バネ８をそのバネ付勢力に抗して基板７に接近するように押圧しながらグリップ３６を開口部８ａの外に突出させた状態で、このグリップ３６を９０度回転させて横向きとすることにより、傾斜状係入片９がロック孔４に係入したロック位置に板バネ８を保持して、第１パネル１に対し収縮する方向（下向き方向）への第２パネル２の移動を阻止することができる。また、このロック位置で横向きにあるグリップ３６を９０度回転させて縦向きにすると、グリップ３６が板バネ８の開口部８ａを通り抜けて、板バネ８がそのバネ付勢力によりロック解除位置に戻るようになっている。また、このロック位置において、第２パネル２を第１パネル１に対し伸張する方向（上向き方向）に移動させると、ロック孔４に対し斜め方向に係入している傾斜状係入片９がその楔作用でロック孔４から離脱する方向にスライドして、板バネ８の遊端部側を基板７から離間して反り返るように変形させ、それによりロック解除状態となるようになっている。
【００４１】
上記ロック部材５Ａにおいて、基板７に固着されたナット３５、このナット３５に螺合した螺軸３１、この螺軸３１に固着したグリップ３６及び板バネ８に設けた開口部８ａは、ロック解除位置に付勢されている板バネ８をバネ付勢力に抗してロック位置に押圧保持し且つそのロック位置での板バネ８の保持を解放してロック解除位置に戻すようにするための操作手段３７を構成する。
【００４２】
上記のような構成のロック部材５Ａを備えたロック手段３によれば、常時はロック部材５Ａの傾斜状係入片９がロック孔４から離脱したロック解除位置にあるから、ロック位置に切り換えるには、板バネ８を基板７側に押圧して、縦向きのグリップ３６を開口部８ａの外に出した後、９０度回転させて横向きにすればよく、またこのロック位置からロック解除位置に切り換えるには、横向きにあるグリップ３６を縦向きにするだけでよく、従ってロック位置からロック解除位置へ、またロック解除位置からロック位置への切換操作をワンタッチで簡単に行うことができる。
【００４３】
上記間仕切りパネルＰの設置にあたり、各間仕切りパネルＰは、第１パネル１内に第２パネル２を収納して図６の(a) ，(b) に実線で示す状態（第２パネル２の上端部が若干突出する状態）にすると共に、ロック手段３をロック状態にしておく。このロック手段３をロック状態にするには、操作手段３７によりロック部材５Ａの傾斜状係入片９をロック孔４に係入させて図５の(b) に示す状態とする。
【００４４】
しかして、第２パネル２を収納した第１パネル１の下端部を、床面Ｆに取り付けた下部ランナー２５に嵌め込み、この第１パネル１を保持した状態で、第２パネル２を持ち上げて伸張させ、この第２パネル２の上端部２ａを、天井Ｓに取り付けた上部ランナー２８に嵌め込むと共に、この間仕切りパネルＰの支柱隣接側端部を、図５の(a) ，(b) に示すように、第１支柱１１の背面側に設けられたパネル支持用フランジ部１６と、第１支柱１１の正面側所要部位に配置されて、第１支柱１１の背面側に設けてあるボルト頭嵌合溝１７に頭部を嵌合させたボルト２２及び蝶ナット２３により締結されるパネル押え板２１とによって挟持固定する。
【００４５】
間仕切りパネルＰの支柱１０と反対側には、同じように床面Ｆと天井Ｓとの間に配置した他の間仕切りパネルＰを端部どうし突き合わせるようにすればよい。
【００４６】
間仕切りパネルＰの設置に際し、ロック手段３を予めロック状態にしておけば、第１パネル１の下端部を下部ランナー２５に嵌め込んだ後、第２パネル２を持ち上げて、その上端部２ａを上部ランナー２８に嵌め込むだけの簡単な作業で、１つの間仕切りパネルＰを設置することができる。これは、第１パネル１側のロック部材５Ａを係入してロック手段３をロック状態にすることにより、第１パネル１に対し収縮する方向への第２パネル２の移動が阻止されると共に、第１パネル１に対し伸張する方向への第２パネル２の移動が自在となるからである。
【００４７】
前記掲示物設置用間仕切りパネル構造の上部側伸縮パネル２０は、間仕切りパネルＰの第１パネル１と同じ構造で、図１２の(a-1) 及び(a-2) に示すような第１パネル２０ａと、間仕切りパネルＰの第２パネル２と同じ構造で、図１２の(b-1) 及び(b-2) に示すような第２パネル２０ｂと、第２パネル２を第１パネル１に対し所要の伸縮位置に固定するロック手段３（図２参照）とからなるもので、第１パネル１が下側に配置され、その上側に第２パネル２が配置される。ロック手段３は、間仕切りパネルＰのものと全く同じ構造で、第２パネル２の正面側両端部に夫々上下方向に配設した多数のロック孔４（図９参照）の一つに、第１パネル１の正面側両端部に夫々設けたロック部材５Ａを係入させることによって、第１パネル１に対し収縮する方向への第２パネル２の移動を阻止すると共に、第１パネル１に対し伸張する方向への第２パネル２の移動を許すように構成されている。
【００４８】
従って、この伸縮パネル２０を、左右両支柱１０，１０間の所要高さ位置に既に取り付けられた掲示物パネル１８と、天井Ｓに取り付けた上部ランナー２８との間の空間部に取り付ける際には、各伸縮パネル２０は、第１パネル１内に第２パネル２を収納して図６の(a) ，(b) に実線で示す状態（第２パネル２の上端部が若干突出する状態）にすると共に、ロック手段３をロック状態にしておく。このロック手段３をロック状態にするには、操作手段３７によりロック部材５Ａの傾斜状係入片９をロック孔４に係入させて、図１０の(b) に示す状態とする。
【００４９】
そして、伸縮パネル２０の第２パネル２０ｂを収納した第１パネル２０ａの下端部を、床面Ｆに取り付けた下部ランナー２５に嵌め込み、この第１パネル２０ａを保持した状態で、第２パネル２０ｂを持ち上げて伸張させ、この第２パネル２０ｂの上端部を、天井Ｓに取り付けた上部ランナー２８に嵌め込んだ後、ロック手段３をロック状態にセットし、それから伸縮パネル２０の下部側の左右両端部を夫々固定手段１５によって両支柱１０，１０に固定する。
【００５０】
図１３の(a-1) は下部側パネル１９の正面図であり、(a-2) と同下部側パネル１９の側面図である。この下部側パネル１９は、固定パネルであって、図１２の(b-1) 及び(b-2)
に示す伸縮パネル２０の第１パネル２０ａと概ね同様なパネルである。
【００５１】
以上説明した実施形態の掲示物設置用間仕切りパネル構造では、両支柱１０，１０間の高さ方向中間部に掲示物パネル１８を配設し、この掲示物パネル１８と床面Ｆとの間の空間部に固定パネル１９を配設し、掲示物パネル１８と天井Ｓとの間の空間部に伸縮パネル２０を配設しているが、掲示物パネル１８と床面Ｆとの間の空間部に伸縮パネル２０を配設し、掲示物パネル１８と天井Ｓとの間の空間部に固定パネル１９を配設してもよいし、また両支柱１０，１０間の下半部に掲示物パネル１８を配設し、上半部に伸縮パネル２０を配設してもよく、また両支柱１０，１０間の下半部に伸縮パネル２０を配設し、その上半部に掲示物パネル１８を配設してもよい。
【図面の簡単な説明】
【００５２】
【図１】本考案の掲示物設置用間仕切りパネル構造を表側から見た正面図である。
【図２】同間仕切りパネル構造を裏側から見た正面図である。
【図３】図２のＸ−Ｘ線拡大断面図である。
【図４】(a) は伸張状態の支柱の正面図、(b) は収縮状態にある支柱の正面図、(c)は(a) のＺ−Ｚ線拡大断面図、(d) は(a) の矢印Ｙで示す部分の拡大図である。
【図５】(a) は固定手段が設けられた部分の拡大正面図、(b) は(a) のＶ−Ｖ線断面図である。
【図６】(a) は本考案に係る間仕切りパネルＰの正面図、(b) は側面図で、上側の第２パネル２が下側の第１パネル１に対し上方へ伸張した状態を仮想線で示す。
【図７】(a-1) は第１パネル１の正面図、(a-2) は側面図であり、(b-1) は第２パネル２の正面図、(b-2) は側面図である。
【図８】図１のイ−イ線拡大断面図である。
【図９】(a) は図２の(b-1) のロ−ロ線拡大断面図であり、(b) は(a) の矢印ハから見た正面図、(c) は(b) の右側面図である。
【図１０】(a) は図１の(a) の矢印ニで示す部分の拡大正面図、(b) は(a) のホ−ホ線断面図、(c) は(a) のヘ−ヘ線断面図で、ロック手段３がロック位置にある状態を示す。
【図１１】ロック手段３がロック解除位置にある状態を示し、(a) は図５の(a) と同様な正面図、(b) は図５の(b) と同様な断面図である。
【図１２】(a-1) は伸縮パネルの第１パネルを示す正面図、(a-2) は側面図であり、 (b-1)は第２パネル２の正面図、(b-2) は側面図である。
【図１３】(a-1) は固定パネルの正面図、(a-2) は側面図である。
【符号の説明】
【００５３】
１０            支柱
１１            第１支柱
１２            第２支柱
１３            ロック手段
１５            固定手段
１８            掲示物パネル
１９            下部側パネル
２０            上部側パネル
【図１】
0003124649.tif 000003
【図２】
0003124649.tif 000004
【図３】
0003124649.tif 000005
【図４】
0003124649.tif 000006
【図５】
0003124649.tif 000007
【図６】
0003124649.tif 000008
【図７】
0003124649.tif 000009
【図８】
0003124649.tif 000010
【図９】
0003124649.tif 000011
【図１０】
0003124649.tif 000012
【図１１】
0003124649.tif 000013
【図１２】
0003124649.tif 000014
【図１３】
0003124649.tif 000015